(57)【要約】      （修正有）【課題】ロック及びロック解除が簡単なコネクタを提供する。【解決手段】コネクタ１０は、端子１６と、ハウジング１２と、絶縁体１４と、を備えている。ハウジングは第一本体と、複数のロック部材と、第一係合具と、複数の第三係合具と、を含む。これら前記ロック部材は第一本体の表面から延伸されてフレキシブルケーブル２をロックし、且つロック部材は支点と、弾性部と、フック部と、をさらに具備している。絶縁体はハウジングに結合されてフレキシブルケーブルを設置するための収容空間を形成している。絶縁体は第二本体と、複数の支点ブロックと、複数の機能スロットと、第二係合具と、複数の第四係合具と、を備えている。各これら前記支点ブロックは各これら前記支点に対応するように設置されている。各これら前記ロック部材は各これら前記機能スロットにより収容空間に進入する。【選択図】図１
0003234899.tif 000002
【実用新案登録請求の範囲】
【請求項１】
プリント回路基板及びフレキシブルケーブルを接続するためのロック及びロック解除が簡単なコネクタであって、
前記プリント回路基板及び前記フレキシブルケーブルを接続するための端子と、
第一本体と、複数のロック部材と、第一係合具と、複数の第三係合具とを有し、前記第一本体にはこれら前記ロック部材が形成され、前記第一係合具、これら前記第三係合具、及びこれら前記ロック部材は前記第一本体の表面から延伸されて前記フレキシブルケーブルをロックし、前記第一係合具は前記第一本体の表面から角度湾曲するように延伸され、これら前記第三係合具は前記第一本体の両側に形成され、各これら前記ロック部材は支点と、弾性部と、フック部とをさらに含み、前記支点は前記第一本体の表面に連接され、前記弾性部は前記支点及び前記フック部に連接されているハウジングと、
前記ハウジングに結合されて前記フレキシブルケーブルを設置するための収容空間を形成している絶縁体であって、前記絶縁体は第二本体と、複数の支点ブロックと、複数の機能スロットと、第二係合具と、複数の第四係合具とを有し、前記第二本体にはこれら前記支点ブロック、これら前記機能スロット、前記第二係合具、及びこれら前記第四係合具が形成され、各これら前記支点ブロックは各これら前記支点に対応するように設置され、各これら前記機能スロットは各これら前記ロック部材に対応するように設けられ、各これら前記ロック部材が各これら前記機能スロットにより前記収容空間に進入し、前記第二係合具は前記第二本体の側辺に形成されていると共にこれら前記第一係合具に対応するように設置され、各これら前記第四係合具は前記第二本体の他側辺に形成されていると共にこれら前記第三係合具に対応するように設置されている絶縁体と、を備え、
前記第一係合具、これら前記第三係合具、前記第二係合具、及びこれら前記第四係合具により前記ハウジングが前記絶縁体に位置を限定されていることを特徴とするロック及びロック解除が簡単なコネクタ。
【請求項２】
前記第一本体はこれら前記ロック部材の支点の間に設けられている橋渡し部をさらに備え、前記橋渡し部の自由端は前記収容空間の方向に湾曲されていることを特徴とする請求項１に記載のロック及びロック解除が簡単なコネクタ。
【請求項３】
前記フック部には前記フレキシブルケーブルが発生させる作用力を受けて前記フック部を前記弾性部で変形させるためのリード角が形成され、前記弾性部は前記支点が発生させる反作用力を受けて前記弾性部を前記フック部で変形させ、前記フック部が前記弾性部で変形しなくなると前記フック部が前記フレキシブルケーブルを前記収容空間にロックし、且つ前記支点と前記弾性部との間には高低差を有していることを特徴とする請求項１に記載のロック及びロック解除が簡単なコネクタ。
【請求項４】
前記第一係合具が前記第一本体の表面から湾曲する前記角度は45度乃至135度の間の範囲であることを特徴とする請求項１に記載のロック及びロック解除が簡単なコネクタ。
【請求項５】
前記第一本体は複数のストッパーをさらに備え、前記第二本体は複数の止めブロックをさらに含み、各これら前記ストッパーは各これら前記止めブロックに対応するように設置され、前記ストッパーを前記止めブロックに設置することにより前記ハウジングを前記絶縁体に係合し、前記第一本体は複数の位置決め部材をさらに備え、前記第二本体は複数の位置決め切欠き部をさらに含み、各これら前記位置決め部材は各これら前記位置決め切欠き部に対応するように設置され、各これら前記位置決め部材を各これら前記位置決め切欠き部に設置することにより前記ハウジングを前記絶縁体に位置決めしていることを特徴とする請求項１に記載のロック及びロック解除が簡単なコネクタ。
【考案の詳細な説明】
【技術分野】
【０００１】
本考案は、コネクタの分野に関し、より詳しくは、ロック及びロック解除が簡単なコネクタ（Easy to lock and easy to unlock connector）に関する。
【背景技術】
【０００２】
従来の自動ロックコネクタは、自動ロック構造の設計により、厚さを効果的に減らすことができず、薄型化が求められる応用場面では有効的に使用できなかった。そこで、本考案者は上記の欠点が改善可能と考え、鋭意検討を重ねた結果、合理的設計で上記の課題を効果的に改善する本考案のロック及びロック解除が簡単なコネクタの提案に至った。
【考案の概要】
【考案が解決しようとする課題】
【０００３】
本考案は、上記問題点に鑑みて本発明者の鋭意研究により成されたものであり、本考案の第一目的は、プリント回路基板及びフレキシブルケーブルを接続可能にし、フレキシブルケーブルをロックするためのロック及びロック解除が簡単なコネクタを提供することにある。
【０００４】
本考案の第二の目的は、上述のロック及びロック解除が簡単なコネクタにより、第一本体、複数のロック部材、第一係合具、及び複数の第三係合具を有しているハウジングを、第二本体、複数の支点ブロック、複数の機能スロット、第二係合具、及び複数の第四係合具を有している絶縁体に係合する。
【０００５】
本考案の第三の目的は、上述のロック及びロック解除が簡単なコネクタにより、リード角を有しているフック部がフレキシブルケーブルが発生させる作用力を受けてフック部を弾性部で変形させ、且つ弾性部も支点が発生させる反作用力を受けて弾性部をフック部で変形させ、フック部が弾性部で変形しなくなるとフック部がフレキシブルケーブルを収容空間にロックする。
【０００６】
本考案の第四の目的は、上述のロック及びロック解除が簡単なコネクタにより、ストッパー及び止めブロックを提供し、ストッパーは止めブロックに対応するように設置し、ストッパーを止めブロックに設置することで前記ハウジングを前記絶縁体に係合する。
【０００７】
本考案の第五の目的は、上述のロック及びロック解除が簡単なコネクタにより、位置決め部材及び位置決め切欠き部を提供し、位置決め部材は位置決め切欠き部に対応するように設置し、位置決め部材を位置決め切欠き部に設置することでハウジングを絶縁体に係合する。
【０００８】
本考案の第六の目的は、上述のロック及びロック解除が簡単なコネクタにより、支点を有しているロック部材を支点ブロックに作用させることにより、弾性部を変形させてフック部を連動させ、フレキシブルケーブルをハウジング及び絶縁体が形成している収容空間に係合する。
【０００９】
本考案の第七の目的は、上述のロック及びロック解除が簡単なコネクタにより、ハウジングの表面に強化部を設けてハウジング表面の強度を強化する。
【００１０】
本考案の第八の目的は、上述のロック及びロック解除が簡単なコネクタにより、２つのロック部材の支点の間に橋渡し部を設けることで、単一のロック部材では力の付勢が不均一になってロック解除が不完全になるのを回避し、且つ橋渡し部に湾曲構造を採用することで過度の押圧力によりハウジングが変形するのを回避する。
【課題を解決するための手段】
【００１１】
上述した課題を解決し、目的を達成するために、本考案のある態様のロック及びロック解除が簡単なコネクタは、プリント回路基板及びフレキシブルケーブルを接続するために用いられ、端子と、ハウジングと、絶縁体と、を備えている。端子はプリント回路基板及びフレキシブルケーブルを接続可能である。ハウジングは第一本体と、複数のロック部材と、第一係合具と、複数の第三係合具と、を含む。第一本体にはこれら前記ロック部材、第一係合具、及びこれら前記第三係合具が形成されている。これら前記ロック部材は第一本体の表面から延伸されてフレキシブルケーブルをロックする。第一係合具は第一本体の表面から角度湾曲するように延伸されている。これら前記第三係合具は第一本体の両側に形成されている。ロック部材は支点と、弾性部と、フック部と、をさらに備えている。支点は第一本体の表面に連接されている。弾性部は支点及びフック部に連接されている。絶縁体はハウジングに結合されて収容空間を形成している。収容空間にはフレキシブルケーブルを設置可能である。絶縁体は第二本体と、複数の支点ブロックと、複数の機能スロットと、第二係合具と、複数の第四係合具と、を具備している。第二本体には支点ブロック、機能スロット、第二係合具、及びこれら前記第四係合具が形成されている。各これら前記支点ブロックは各これら前記支点に対応するように設置されている。各これら前記機能スロットは各これら前記ロック部材に対応するように設けられ、各これら前記ロック部材が各これら前記機能スロットにより前記収容空間に進入し、前記第二係合具は第二本体の側辺に形成されていると共にこれら前記第一係合具に対応するように設置され、各これら前記第四係合具は第二本体の他側辺に形成されていると共にこれら前記第三係合具に対応するように設置されている。第一係合具、これら前記第三係合具、第二係合具、及びこれら前記第四係合具によりハウジングが絶縁体に位置を限定されている。
【考案の効果】
【００１２】
本考案によれば、次のような効果がある。
従来のコネクタと比較すると、本考案に係るロック及びロック解除が簡単なコネクタは、一体成形されているハウジングを絶縁体に結合することにより、薄型化を実現し、ロック及びロック解除が容易なコネクタを提供する。
【図面の簡単な説明】
【００１３】
【図１】本考案の第１実施例に係るロック及びロック解除が簡単なコネクタを示す概略構成図である。
【図２（ａ）】図１に示すハウジングを示す上面図である。
【図２（ｂ）】図１に示すハウジングを示す背面図である。
【図２（ｃ）】本考案のハウジングを示す側面図である。
【図３】図２に示すロック部材の部分拡大概略図である。
【図４（ａ）】図１に示す絶縁体を示す上面図である。
【図４（ｂ）】図１に示す絶縁体を示す背面図である。
【図４（ｃ）】図１に示す絶縁体を示す側面図である。
【考案を実施するための形態】
【００１４】
以下、本考案の実施形態について図面を参照して詳細に説明する。なお、本開示は、下記の実施形態に何ら限定されることはなく、本開示の技術的範囲に属する限り種々の形態を採りうる。
【００１５】
本明細書において、「１」または「１つ」という用語を使用して本文の単位、部材、及び組立部材を説明している。これは説明を分かりやすくするためにすぎず、本考案の範疇について一般的な意義を提供している。よって、他の意味が明示されていない限り、このような描写は１つ及び少なくとも１つという意味を含み、且つ単数と同時に複数も含むと理解すべきである。
【００１６】
なお、本明細書において、「備える」、「含む」、「有している」、「含有している」、或いは他の類似するあらゆる用語は被排他的に包括する物品を含む。一例を挙げると、複数の要素を含む部材、構造、製品、または装置が本文に列挙された要素に限られず、明確に列挙されていないが前記部材、構造、製品、または装置が通常固有の他の要素であるものも含まれる。このほか、明確に反対の説明がなされていない限り、「或いは」という用語 は包括的な「或いは」という意義を指し、排他的な「或いは」ではない。
【００１７】
図１は本考案の第１実施例に係るロック及びロック解除が簡単なコネクタを示す概略構成図である。図１において、ロック及びロック解除が簡単なコネクタ１０はフレキシブルケーブル２及びプリント回路基板（図示省略）を接続可能である。
【００１８】
ロック及びロック解除が簡単なコネクタ１０はハウジング１２と、絶縁体１４と、端子１６と、を備えている。端子１６の一端はプリント回路基板に接続可能であり、端子１６の他端はフレキシブルケーブル２に接続可能である。
【００１９】
図２（ａ）乃至図２（ｃ）は図１に示すハウジングを示す詳細な概略図である。図２（ａ）は図１に示すハウジングを示す上面図である。図２（ｂ）は図１に示すハウジングを示す背面図である。図２（ｃ）は本考案のハウジングを示す側面図である。
【００２０】
ハウジング１２は第一本体１２２と、ロック部材１２４と、第一係合具１２６と、第三係合具１２８と、を備えている。
【００２１】
第一本体１２２にはロック部材１２４、第一係合具１２６、及び第三係合具１２８が形成されている。本実施例では、ロック部材１２４及び第三係合具の数量がそれぞれ２つであるものを例として説明する。
【００２２】
ロック部材１２４は第一本体１２２の表面から延伸されてフレキシブルケーブル２をロック可能である。図３は図２に示すロック部材の部分拡大概略図である。ロック部材１２４は支点１２４２と、弾性部１２４４と、フック部１２４６と、をさらに備えている。支点１２４２は第一本体１２２の表面ＳＦに連接されている。弾性部１２４４は支点１２４２及びフック部１２４６に連接されている。ここでは、支点１２４２と弾性部１２４４との間には高低差Ｈを有している。他の本実施例では、フック部１２４６にはフレキシブルケーブル２が発生させる作用力を受けてフック部１２４６を弾性部１２４４で変形させることが可能なリード角１２４６’が形成され、且つ弾性部１２４４も後述する支点１４４が発生させる反作用力を受けて弾性部１２４４をフック部１２４６で変形させ、フック部１２４６が性部１２４４で変形しなくなるとフック部１２４６がフレキシブルケーブル２を後述する収容空間ＳＰにロックする。反対に、支点１４４を押圧することにより弾性部１２４４を変形させ、フレキシブルケーブル２をフック部１２４６からロック解除する。
【００２３】
第一係合具１２６は第一本体１２２の表面から角度θ湾曲するように延伸され、例えば、角度θは45度至135度の間の範囲であり、ここでは、角度θが90度である例について説明する。本実施例では、第一係合具１２６が開口部である例について説明する。
【００２４】
第三係合具１２８は第一本体１２２の両側に形成されている。本実施例では、第三係合具１２８がストッパーであるものを例として説明する。
【００２５】
他の実施例では、第一本体１２２はハウジング１２の構造強度を強化するための強化部１２１０をさらに備え、例えば強化部１２１０は収容空間ＳＰの反対方向に向けて突起している。
【００２６】
他の実施例では、第一本体１２２は２つのロック部材１２４の支点１２４２（ハウジングの辺縁箇所に近接している）の間に設置されている橋渡し部１２１１をさらに備え、橋渡し部１２１１を押圧することによりロック部材１２４の支点１２４２を駆動してフック部１２４６を変形させ、フレキシブルケーブル２のロックを解除させる。橋渡し部１２１１の自由端は収容空間ＳＰの方向に湾曲しているため、力の付勢が不均一になる或いはロック部材１２４を単独で押圧することでフック部１２４６によるフレキシブルケーブル２のロック解除が不完全になり、フレキシブルケーブル２を損壊してしまう問題を解決している。ここでは、橋渡し部１２１１には湾曲構造を採用し、過度な押圧力によりハウジング１２が変形するのを回避している。
【００２７】
他の実施例では、第一本体１２２は第一本体１２２の両側にそれぞれ形成されている溶接部１２１２をさらに備えている。溶接部１２１２はプリント回路基板に設置（例えば、溶接）可能である。
【００２８】
他の実施例では、第一本体１２２はストッパー１２１４をさらに備え、本実施例では、ハウジング１２の両側の前縁箇所及び後縁箇所に形成されている。
【００２９】
他の実施例では、第一本体１２２は位置決め部材１２１６をさらに備え、本実施例では、ハウジング１２の表面ＳＦの前縁箇所及び後縁箇所に形成されている。
【００３０】
図４（ａ）乃至図４（ｃ）は図１に示す詳細な概略図である。図４（ａ）は図１に示す絶縁体を示す上面図である。図４（ｂ）は図１に示す絶縁体を示す背面図である。図４（ｃ）は図１に示す絶縁体を示す側面図である。
【００３１】
絶縁体１４はハウジング１２に結合され、フレキシブルケーブル２を設置するための収容空間ＳＰを形成している。
【００３２】
絶縁体１４は第二本体１４２と、支点ブロック１４４と、機能スロット１４６と、第二係合具１４８と、第四係合具１４１０と、を備えている。ここでは、支点ブロック１４４、機能スロット１４６、及び第四係合具１４１０の数量がそれぞれ２つであるものを例として説明する。
【００３３】
第二本体１４２には支点ブロック１４４、機能スロット１４６、第二係合具１４８、及び第四係合具１４１０が形成されている。
【００３４】
支点ブロック１４４は支点１２４２に対応するように設置されている。機能スロット１４６はロック部材１２４に対応するように設けられ、ロック部材１２４が機能スロット１４６により収容空間ＳＰに進入する。第二係合具１４８は第二本体１４２の側辺に形成されていると共に第一係合具１２６に対応するように設置されている。本実施例では、第二係合具１４８がバンプであるものを例として説明し、開口形態を有している第一係合具１２６に結合し、第一係合具１２６及び第二係合具１４８によりハウジング１２の位置を限定するために用いられ、例えば、図４（ａ）のＸＹ平面または図４（ｂ）のＺ軸方向で移動しないようにしている。
【００３５】
第四係合具１４１０は第二本体１４２の他側辺に形成されていると共に第三係合具１２８に対応するように設置されている。本実施例において、第四係合具１２１０が止めスロットであるものを例として説明し、ストッパー形態を有している第三係合具１２８が止めスロットで湾曲し、第三係合具１２８及び第四係合具１４１０によりハウジング１２の位置を限定し、例えば、図４（ａ）のＸＹ平面または図４（ｂ）のＺ軸方向で移動しないようにしている。
【００３６】
他の実施例では、第二本体１４２は止めブロック１４１２をさらに備えている。止めブロック１４１２はストッパー１２１４に対応するように設置され、止めブロック１４１２をストッパー１２１４に設置することにより前記ハウジングを前記絶縁体に係合している。
【００３７】
他の実施例では、第二本体１４２は位置決め切欠き部１４１４をさらに備えている。位置決め切欠き部１４１４は位置決め部材１２１６に対応するように設けられ、位置決め部材１２１６を位置決め切欠き部１４１４に設置することによりハウジング１２を絶縁体１４に位置決めし、組み立てを行う。
【００３８】
第一係合具１２６、第三係合具１２８、第二係合１４９、及び第四係合具１４１０によりハウジング１２を絶縁体１４に位置を限定している。
【００３９】
本考案は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００４０】
２  フレキシブルケーブル
１０  ロック及びロック解除が簡単なコネクタ
１２  ハウジング
１２２  第一本体
１２４  ロック部材
１２４２  支点
１２４４  弾性部
１２４６  フック部
１２４６’  リード角
１２６  第一係合具
１２８  第三係合具
１２１０  強化部
１２１１  橋渡し部
１２１２  溶接部
１２１４  ストッパー
１２１６  位置決め部材
１４  絶縁体
１４２  第二本体
１４４  支点ブロック
１４６  機能スロット
１４８  第二係合具
１４１０  第四係合具
１４１２  止めブロック
１４１４  位置決め切欠き部
１６  端子
ＳＦ  表面
ＳＰ  収容空間
Ｈ  高低差
θ  角度
【図１】
0003234899.tif 000003
【図２（ａ）】
0003234899.tif 000004
【図２（ｂ）】
0003234899.tif 000005
【図２（ｃ）】
0003234899.tif 000006
【図３】
0003234899.tif 000007
【図４（ａ）】
0003234899.tif 000008
【図４（ｂ）】
0003234899.tif 000009
【図４（ｃ）】
0003234899.tif 000010